(57)【要約】【課題】部品点数が少なく、組立に手間がかからず、施工性に優れたクランプ金具及びクランプ金具の製造方法を提供する。【解決手段】第１の円弧状凹部２０を内側に有し、先部に雌螺子部２５が設けられた固定受け部材１１と、第２の円弧状凹部２７を内側に有し、一端側が固定受け部材１１の基部２８に回動自在に連結され、他端側にボルト挿通部３１が設けられた可動受け部材１２と、使用時に可動受け部材１２の外側からボルト挿通部３１に挿通され、雌螺子部２５に螺着される締付けボルト３２とを備え、雌螺子部２５は、固定受け部材１１の先部に対向して設けられた一対の半割り雌螺子部２３、２４からなる。【選択図】図１
2019066022.tif 000002
【特許請求の範囲】
【請求項１】
第１の円弧状凹部を内側に有し、先部に雌螺子部が設けられた固定受け部材と、第２の円弧状凹部を内側に有し、一端側が前記固定受け部材の基部に回動自在に連結され、他端側にボルト挿通部が設けられた可動受け部材と、使用時に前記可動受け部材の外側から前記ボルト挿通部に挿通され、前記雌螺子部に螺着される締付けボルトとを備え、
前記雌螺子部は、前記固定受け部材の先部に対向して設けられた一対の半割り雌螺子部からなることを特徴とするクランプ金具。
【請求項２】
請求項１記載のクランプ金具において、前記固定受け部材は、平面座と、前記平面座の両側に立設され前記第１の円弧状凹部が形成される左右一対の側板部と、前記各側板部に延設されて対向する半円筒状の突起部とを有し、前記各突起部の内周面に前記半割り雌螺子部が形成されていることを特徴とするクランプ金具。
【請求項３】
請求項２記載のクランプ金具において、前記可動受け部材の他端側に、前記締付けボルトを前記雌螺子部に螺着した際に、前記各突起部の外側に係合する係合部が設けられたことを特徴とするクランプ金具。
【請求項４】
請求項１〜３のいずれか１記載のクランプ金具の製造方法であって、
１枚の板材をプレス加工して前記一対の半割り雌螺子部を形成した後、該一対の半割り雌螺子部が対向するように前記板材を折り曲げて前記雌螺子部を形成することを特徴とするクランプ金具の製造方法。
【請求項５】
請求項２又は３記載のクランプ金具の製造方法であって、
前記固定受け部材の先部に、対向する一対の半円筒状の前記突起部を形成した後、該一対の突起部の内周面をタップで同時に加工して前記一対の半割り雌螺子部からなる前記雌螺子部を形成することを特徴とするクランプ金具の製造方法。
【発明の詳細な説明】
【技術分野】
【０００１】
本発明は、建築現場等において、組立足場の組立等に用いられるクランプ金具及びクランプ金具の製造方法に関するものである。
【背景技術】
【０００２】
一般に建築現場等では、パイプ材（支持パイプ）に、持送り枠、床付き布枠、防音パネル、階段の踏み板等の各種部材を取付ける場合や、足場板を支持するパイプ材の交差部分等を結合する場合等にクランプ金具が使用される。
例えば、特許文献１には、外側中央に固定対象物が取付けられ、内側が半円状凹部となった固定受け部材と、半円状凹部と同一半径の円弧状凹部を内側に有し、固定受け部材の一方にその基部が回動自在に連結され、先部には切欠き溝を備えたナット受け座部が設けられた可動受け部材と、固定受け部材の他方にその基部が回動自在に連結され、可動受け部材の切欠き溝に嵌入する雄ねじ棒と、該雄ねじ棒に螺着する締め付けナットとを有するクランプ金具が記載されている。
このクランプ金具で、例えば、足場板を支持する垂直パイプと水平パイプの交差部分を結合する場合には、２つのクランプ金具を９０度反転させた状態で、それぞれの固定受け部材同士を連結し、緊結金具を形成して使用する。
【先行技術文献】
【特許文献】
【０００３】
【特許文献１】特開平８−２０９９２５号公報
【発明の概要】
【発明が解決しようとする課題】
【０００４】
しかしながら、特許文献１のクランプ金具は、雄ねじ棒の基部を固定受け部材の他方に回動自在に連結するためには、固定受け部材に取付け孔を形成し、雄ねじ棒の基部には取付け孔に軸着される突出ピンを設けなければならず、部品点数が多く、組立に手間がかかるという問題がある。また、雄ねじ棒に螺着する締め付けナットを必要とし、足場等の組立作業中にナットが落下して紛失するおそれもあり、施工性に欠けるという問題もある。
本発明は、かかる事情に鑑みてなされたもので、部品点数が少なく、組立に手間がかからず、施工性に優れたクランプ金具及びクランプ金具の製造方法を提供することを目的とする。
【課題を解決するための手段】
【０００５】
前記目的に沿う第１の発明に係るクランプ金具は、第１の円弧状凹部を内側に有し、先部に雌螺子部が設けられた固定受け部材と、第２の円弧状凹部を内側に有し、一端側が前記固定受け部材の基部に回動自在に連結され、他端側にボルト挿通部が設けられた可動受け部材と、使用時に前記可動受け部材の外側から前記ボルト挿通部に挿通され、前記雌螺子部に螺着される締付けボルトとを備え、
前記雌螺子部は、前記固定受け部材の先部に対向して設けられた一対の半割り雌螺子部からなる。
【０００６】
第１の発明に係るクランプ金具において、前記固定受け部材は、平面座と、前記平面座の両側に立設され前記第１の円弧状凹部が形成される左右一対の側板部と、前記各側板部に延設されて対向する半円筒状の突起部とを有し、前記各突起部の内周面に前記半割り雌螺子部が形成されていることが好ましい。
【０００７】
第１の発明に係るクランプ金具において、前記可動受け部材の他端側に、前記締付けボルトを前記雌螺子部に螺着した際に、前記各突起部の外側に係合する係合部が設けられることが好ましい。
【０００８】
前記目的に沿う第２の発明に係るクランプ金具の製造方法は、第１の発明に係るクランプ金具の製造方法であって、
１枚の板材をプレス加工して前記一対の半割り雌螺子部を形成した後、該一対の半割り雌螺子部が対向するように前記板材を折り曲げて前記雌螺子部を形成する。
【０００９】
前記目的に沿う第３の発明に係るクランプ金具の製造方法は、第１の発明に係るクランプ金具の製造方法であって、
前記固定受け部材の先部に、対向する一対の半円筒状の前記突起部を形成した後、該一対の突起部の内周面をタップで同時に加工して前記一対の半割り雌螺子部からなる前記雌螺子部を形成する。
【発明の効果】
【００１０】
第１の発明に係るクランプ金具は、第１の円弧状凹部を内側に有し、先部に雌螺子部が設けられた固定受け部材と、第２の円弧状凹部を内側に有し、一端側が固定受け部材の基部に回動自在に連結され、他端側にボルト挿通部が設けられた可動受け部材と、使用時に可動受け部材の外側からボルト挿通部に挿通され、雌螺子部に螺着される締付けボルトを備えているので、固定受け部材の第１の円弧状凹部と、可動受け部材の第２の円弧状凹部で、パイプ材を挟持した後、締付けボルトを雌螺子部に螺着して締め付けるだけで、簡単かつ強固にパイプ材を保持することができ、施工性に優れる。また、雌螺子部が、固定受け部材の先部に対向して設けられた一対の半割り雌螺子部からなるので、別途、ナット等の雌螺子部品を用意する必要がなく、部品点数が少なくなり、組立の手間を低減できる。
固定受け部材が、平面座と、平面座の両側に立設され第１の円弧状凹部が形成される左右一対の側板部と、各側板部に延設されて対向する半円筒状の突起部とを有し、各突起部の内周面に半割り雌螺子部が形成されている場合、雌螺子部が固定受け部材と一体化されており、ナットのように紛失するおそれがなく、施工性に優れる。
可動受け部材の他端側に、締付けボルトを雌螺子部に螺着した際に、各突起部の外側に係合する係合部が設けられている場合、締付けボルトを雌螺子部に螺着した後、半割り雌螺子部が外方に開くことがなく、可動受け部材を強固に固定することができ、パイプ材の保持安定性に優れる。
第２の発明に係るクランプ金具の製造方法は、１枚の板材をプレス加工して一対の半割り雌螺子部を形成した後、一対の半割り雌螺子部が対向するように板材を折り曲げて雌螺子部を形成するので、金型を用いることなく、１枚の板材から雌螺子部が一体化した固定受け部材を廉価に製造することができ、量産性に優れる。
第３の発明に係るクランプ金具の製造方法は、固定受け部材の先部に、対向する一対の半円筒状の突起部を形成した後、一対の突起部の内周面をタップで同時に加工して一対の半割り雌螺子部からなる雌螺子部を形成するので、一対の半割り雌螺子部の位相を確実に一致させることができ、雌螺子部の形状の正確性、安定性に優れ、歩留りを向上させることができる。
【図面の簡単な説明】
【００１１】
【図１】本発明の一実施の形態に係るクランプ金具の使用状態の側面図である。
【図２】（Ａ）は同クランプ金具の使用状態の正面図であり、（Ｂ）は同クランプ金具の可動受け部材を開いた状態の正面図である。
【図３】（Ａ）は同クランプ金具の使用状態の平面図であり、（Ｂ）は同クランプ金具の可動受け部材を開いた状態の平面図である。
【図４】図１のＡ−Ａ線端面図である。
【図５】本発明の第１の実施の形態に係るクランプ金具の製造方法に用いる固定受け部材の平面展開図である。
【図６】本発明の第２の実施の形態に係るクランプ金具の製造方法を示す説明図である。
【発明を実施するための形態】
【００１２】
続いて、添付した図面を参照しつつ、本発明を具体化した実施の形態につき説明し、本発明の理解に供する。
以下、図１〜図４を参照して、本発明の一実施の形態に係るクランプ金具１０について説明する。
図１、図２（Ａ）、（Ｂ）、図３（Ａ）、（Ｂ）、図４に示すように、クランプ金具１０は、建築現場等において、組立足場の組立等に用いられ、固定受け部材１１に対して可動受け部材１２を開閉することにより、パイプ材１３を着脱自在に保持するものである。
固定受け部材１１は、一枚の板材３７（例えば、普通鋼、炭素鋼、高張力鋼等の鋼材、図５参照）からなっており、長方形状の平面座１５と、平面座１５の両側に立設された左右一対の側板部１６、１７とを有している。各側板部１６、１７に円弧状の切り欠き１８、１９が設けられることにより、固定受け部材１１の内側に第１の円弧状凹部２０が形成されている。また、各側板部１６、１７の上端側に、半円筒状の突起部２１、２２が対向するように延設されている。そして、各突起部２１、２２の内周面に半割り雌螺子部２３、２４が形成されており、この対向する一対の半割り雌螺子部２３、２４により、固定受け部材１１の先部に雌螺子部２５が形成されている。
【００１３】
また、可動受け部材１２は、第２の円弧状凹部２７を内側に有し、一端側が固定受け部材１２の基部２８にピン３０によって回動自在に連結され、他端側にボルト挿通部３１が設けられている。使用時に可動受け部材１２の外側から締付けボルト３２をボルト挿通部３１に挿通し、雌螺子部２５に螺着することにより、図１〜図４に示すように、第１、第２の円弧状凹部２０、２７でパイプ材１３の外周を挟持することができる。なお、可動受け部材１２の他端側に、締付けボルト３２を雌螺子部２５に螺着した際に、半割り雌螺子部２３、２４が形成された突起部２１、２２の外側に係合する係合部３３が設けられている。係合部３３で突起部２１、２２を両外側から押さえ付けることができるので、使用中に半割り雌螺子部２３、２４が外方に開くことがなく、可動受け部材１２を強固に固定して、パイプ材１３を安定的に保持することができる。なお、係合部３３は突起部２１、２２の外側に係合して半割り雌螺子部２３、２４が外方に開くことを防止できればよく、その構造は適宜、選択することができる。特に、図４に示すように、先側（開口側）に向かって拡開し、基部側が突起部２１、２２の先側に係合する一対の傾斜部３４、３５を設けた場合、締付けボルト３２を締め付けるにつれて突起部２１、２２の外側が傾斜部３４、３５で両側から押さえ付けられ、締付けボルト１３と雌螺子部２５が強固に締結されて、固定受け部材１１と可動受け部材１２が確実に固定される。
【００１４】
次に、本発明の第１の実施の形態に係るクランプ金具の製造方法について説明する。
まず、図５に示すように、固定受け部材１１の形状を平面に展開した１枚の板材３７を用意する。固定受け部材１１の基部２８となる板材３７の両側下部には、可動受け部材１２の一端側を回動自在に支持するピン３０を挿通するための支持孔３８、３９が設けられている。そして、板材３７の両側の上端部に、固定受け部材１１の突起部２１、２２となる突片４０、４１が設けられている。この突片４０、４１にプレス加工を行って、一対の半割り雌螺子部２３、２４を形成する。その後、一対の半割り雌螺子部２３、２４が対向するように側板部１６、１７を折り曲げて、図１に示したように、雌螺子部２５を形成する。このとき、一対の半割り雌螺子部２３、２４の山部同士（及び谷部同士）を一致させる（連続させる）ために、半割り雌螺子部２３、２４と螺合する雄螺子部材（例えば、締付けボルト３２）を間に挟むようにして側板部１６、１７を折り曲げ、固定受け部材１１の形状を成形することが好ましい。なお、必要に応じて、一対の突起部２１、２２の間（外周部）をスポット溶接したり、突起部２１、２２の外周に環状部材を嵌合させたりして、半割り雌螺子部２３、２４の開きを防止してもよく、その場合、可動受け部材１２の係合部３３を省略することもできる。
【００１５】
可動受け部材１２は、従来と同様に、金型を用いて成型することができる。可動受け部材１２の一端側の幅方向両側には、図３（Ｂ）に示すように、ピン挿通孔４３、４４が設けられている。固定受け部材１１の支持孔３８、３９と可動受け部材１２のピン挿通孔４３、４４を重ね合わせた状態でピン３０を挿通、固定することにより、可動受け部材１２の一端側が固定受け部材１１の基部２８に回動自在に連結され、クランプ金具１０が完成する。
なお、可動受け部材１２の一端側が固定受け部材１１の基部２８に回動自在に連結されていればよく、その構造は、適宜、選択することができる。例えば、可動受け部材の一端側の幅方向両側に、固定受け部材１１の支持孔３８、３９に回動自在に支持される支持突起を設ければ、ピンを用いずに連結することができる。
【００１６】
続いて、本発明の第２の実施の形態に係るクランプ金具の製造方法を説明する。
まず、第１の実施の形態と同様に、図５に示した板材３７を用意する。そして、両側の突片４０、４１を湾曲させて半円筒状の突起部２１、２２を形成し、これらが対向するように側板部１６、１７を折り曲げて、固定受け部材１１の形状に成形する。その後、図６に示すように、固定受け部材１１の先部に形成された一対の突起部２１、２２の内周面をタップ４６で同時に加工して、図４に示したように一対の半割り雌螺子部２３、２４からなる雌螺子部２５を形成する。このとき、突起部２１、２２が外方に開かないように、例えば、外周に環状部材４７を嵌合させる等して突起部２１、２２を固定することが好ましい。なお、タップ４６による加工は手動で行ってもよいし、電動で行ってもよい。
その他の可動受け部材１２の製造方法や組立方法は第１の実施の形態と同様であるので、説明を省略する。このようにして、図１〜図４に示したクランプ金具１０が完成する。
【００１７】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。
例えば、第１の実施の形態では、板材の状態でプレス加工を行って、一対の半割り雌螺子部を形成したが、プレス加工のみで十分な螺子溝が形成できない場合は、一対の半割り雌螺子部（突起部）が対向するように側板部を折り曲げて固定受け部材の形状を成形した後、追加で突起部の内周面をタップで加工して雌螺子部を完成させてもよい。
なお、平面座と雌螺子部（突起部）の間を繋ぐ側板部を平面視した時の形状は、適宜、選択することができる。上記実施の形態のように、途中で屈曲させる代わりに、例えば直線状に形成してもよいし、円弧等の湾曲した曲線状に形成してもよい。
また、上記実施の形態では、ボルト挿通部として、可動受け部材の他端側に丸孔を設けたが、丸孔の代わりに切欠き溝を設けてもよい。
なお、本発明のクランプ金具は、単独で単クランプとして使用する以外に、２つ以上のクランプ金具を連結したり、その他の金具や部品を取り付けたりして、各種の用途に用いることができる。このとき、固定受け部材の平面座には、必要に応じて、貫通孔を設けることができ、その貫通孔を利用して、簡単にクランプ金具同士を連結したり、その他の金具や部品を取り付けたりできる。
【符号の説明】
【００１８】
１０：クランプ金具、１１：固定受け部材、１２：可動受け部材、１３：パイプ材、１５：平面座、１６、１７：側板部、１８、１９：切り欠き、２０：第１の円弧状凹部、２１、２２：突起部、２３、２４：半割り雌螺子部、２５：雌螺子部、２７：第２の円弧状凹部、２８：基部、３０：ピン、３１：ボルト挿通部、３２：締付けボルト、３３：係合部、３４、３５：傾斜部、３７：板材、３８、３９：支持孔、４０、４１：突片、４３、４４：ピン挿通孔、４６：タップ、４７：環状部材
【図１】
2019066022.tif 000003
【図２】
2019066022.tif 000004
【図３】
2019066022.tif 000005
【図４】
2019066022.tif 000006
【図５】
2019066022.tif 000007
【図６】
2019066022.tif 000008